(57)【要約】【課題】排尿の処理に伴う労力的、精神的、経済的な負担を軽減することのできる吸収性物品を提供すること。【解決手段】パンツ型に形成された補助具１と、該補助具１の外表面側に止着される外装吸収部３とからなる吸収性物品であって、補助具１は、液透過性の領域Ｒ１を有しており、外装吸収部３は、液透過性の表面シート、液不透過性の裏面シート及び両シート間に介在された液保持性の吸収体３４を具備しており、前記補助具１及び前記外装吸収部３の何れか一方又は両方に、該外装吸収部３止着用の止着手段３５が設けられている。【選択図】    図５
2004180950.tif 000002
【特許請求の範囲】
【請求項１】
パンツ型に形成された補助具と、該補助具の外表面側に止着される外装吸収部とからなる吸収性物品であって、
前記補助具は、液透過性の領域を有しており、
前記外装吸収部は、液透過性の表面シート、液不透過性の裏面シート及び両シート間に介在された液保持性の吸収体を具備しており、
前記補助具及び前記外装吸収部の何れか一方又は両方に、該外装吸収部止着用の止着手段が設けられている吸収性物品。
【請求項２】
前記補助具の前記液透過性の領域に、吸収体が配されており、該吸収体には、液保持性の材料が配されていない通液部が部分的に形成されている請求項１記載の吸収性物品。
【請求項３】
前記補助具の前記吸収体は、パルプ繊維及び／又は高吸水性ポリマーを主体として構成された吸収性コアと、該吸収性コアの上下面を被覆するシート材からなり、該吸収性コアには複数の貫通孔が形成されており、前記シート材は、液透過性で且つ液保持性を有しない材料からなるか、又は該各貫通孔の両開口部と重なる部分に開孔が形成されている請求項２記載の吸収性物品。
【請求項４】
前記貫通孔内に、液透過性で且つ液保持性を有しない材料が充填されている請求項３記載の吸収性物品。
【請求項５】
前記補助具の前記液透過性の領域に、吸収体が配されていない請求項１記載の吸収性物品。
【請求項６】
前記補助具は、着用時に着用者の腹側に位置する腹側部、着用者の背側に位置する背側部及び該腹側部と該背側部との間に位置する股下部を有し、該腹側部及び該背側部それぞれの両側縁部同士が接合されてウエスト開口部及び一対のレッグ開口部が形成されており、前記液透過性の領域は、少なくとも前記股下部に形成されており且つ前記腹側部から前記股下部を経て前記背側部に亘る方向の両端に達しない長さに形成されている請求項５記載の吸収性物品。
【請求項７】
使い捨ておむつの内側に併用される吸収補助具であって、
着用時に着用者の腹側に位置する腹側部、着用者の背側に位置する背側部及び該腹側部と該背側部との間に位置する股下部を有し、該腹側部及び該背側部それぞれの両側縁部同士が接合されてウエスト開口部及び一対のレッグ開口部が形成されており、液透過性の領域が、少なくとも前記股下部に形成されており、該液透過性の領域には液保持性の吸収体が配されておらず、該液透過性の領域は、補助具の前記腹側部から前記股下部を経て前記背側部に亘る方向の両端に達しない長さに形成されている吸収補助具。
【発明の詳細な説明】
【０００１】
【発明の属する技術分野】
本発明は、排尿の処理に伴う労力的、精神的、経済的な負担を軽減することのできる吸収性物品に関する。
【０００２】
【従来の技術及び発明が解決しようとする課題】
近年、おむつ交換に伴う労力的、経済的な負担を軽減すべく、補助吸収具（尿取りパッド）を使い捨ておむつの内表面上に載置し、該使い捨ておむつと併用することが広く行われている（特許文献１参照）。
しかし、従来の補助吸収具は、使い捨ておむつの内表面側に配置されて使用されるため、その交換の際には、使い捨ておむつを一旦外して、補助吸収具を取り出すといった煩雑な作業が必要であるため、交換に伴う労力的、精神的な負担は未だ大きいと言える。
【０００３】
従って、本発明の目的は、排尿の処理に伴う労力的、精神的、経済的な負担を軽減することのできる吸収性物品を提供することにある。
本発明の他の目的は、使い捨ておむつの内側に併用することによって、その使い捨ておむつの吸収性能を向上させ、優れた漏れ防止性能を得ることができるパンツ型の吸収補助具を提供することにある。
【０００４】
【特許文献１】
特開平１１−３３２８９９号公報
【０００５】
【課題を解決するための手段】
本発明は、パンツ型に形成された補助具と、該補助具の外表面側に止着される外装吸収部とからなる吸収性物品であって、前記補助具は、液透過性の領域を有しており、前記外装吸収部は、液透過性の表面シート、液不透過性の裏面シート及び両シート間に介在された液保持性の吸収体を具備しており、前記補助具及び前記外装吸収部の何れか一方又は両方に、該外装吸収部止着用の止着手段が設けられている吸収性物品を提供することにより、上記目的を達成したものである（以下、第１発明というときは、この発明をいう）。
【０００６】
また、本発明は、使い捨ておむつの内側に併用される補助具であって、着用時に着用者の腹側に位置する腹側部、着用者の背側に位置する背側部及び該腹側部と該背側部との間に位置する股下部を有し、該腹側部及び該背側部それぞれの両側縁部同士が接合されてウエスト開口部及び一対のレッグ開口部が形成されており、液透過性の領域が、少なくとも前記股下部に形成されており、該液透過性の領域には液保持性の吸収体が配されておらず、該液透過性の領域は、補助具の前記腹側部から前記股下部を経て前記背側部に亘る方向の両端に達しない長さに形成されているパンツ型の吸収補助具を提供することにより、上記の目的を達成したものである（以下、第２発明というときは、この発明をいう）。
【０００７】
【発明の実施の形態】
以下、本発明をその好ましい実施形態に基づいて説明する。
第１発明の一実施形態としての吸収性物品は、図５に示すように、パンツ型に形成された補助具１と、該補助具１の外表面側に止着される外装吸収部３との組み合わせからなる。
【０００８】
先ず、本実施形態における補助具１について、図１及び図２を参照して説明する。
補助具１は、図１に示すように、ウエスト開口部２２及び一対のレッグ開口部２３を有するパンツ型の形態を有している。
補助具１は、図２に示すように、パンツ型に形成された外装体２１と、該外装体２１の内面（着用者側に向けられる面）に固定された縦長の補助具本体１１とからなる。
【０００９】
補助具本体１１は、液透過性の表面シート１２、液透過性の裏面シート１３及び両シート１２，１３間に介在された液保持性の吸収体１４を具備し、実質的に縦長の矩形状をなしている。吸収体１４は、補助具本体１１とほぼ相似形状である。表面シート１２及び裏面シート１３は、吸収体１４の周縁部において互いに接合されており、吸収体１４は、表裏面シート１２，１３間に挟持固定されている。
【００１０】
補助具１は、着用時に着用者の腹側に位置する腹側部Ａと、着用者の背側に位置する背側部Ｂと、及び腹側部Ａと背側部Ｂとの間に位置し、着用時に着用者の股下部に位置する股下部Ｃとからなり、腹側部Ａ及び背側部Ｂそれぞれの両側縁部同士、より具体的には腹側部Ａ及び背側部Ｂにおける外装体２１の両側縁同士が、ヒートシール等の公知の接合手段により接合されて、一対のサイド接合部２４（一方のみ図示）、ウエスト開口部２２及び一対のレッグ開口部２３が形成されている。股下部Ｃは、その両側縁部が、前記レッグ開口部の開口周縁部を形成している。
【００１１】
ウエスト開口部２２の開口周縁部及び一対のレッグ開口部２３，２３それぞれの開口周縁部には、それぞれ弾性部材が配されて、ウエストギャザー（ウエスト弾性部）２５及びレッグギャザー（レッグ弾性部）２６が形成されている。また、腹側部Ａ及び背側部Ｂそれぞれにおける胴回り部には、複数本の糸状の弾性部材が所定の間隔でそれぞれ周方向に配されて、胴回りギャザー（胴回り弾性部）２７が形成されている。胴回り部とは、ウエストギャザー形成用の弾性部材の配置位置よりも下方で且つ前記レッグ開口部よりも上方に位置する部分である。
【００１２】
外装体２１は、補助具１の外表面を形成する外層シート２８と、その内側に積層され該外層シート２８に接着された内層シート２９とを具備してなり、これら両シート２８，２９間に、ウエストギャザー２５形成用の弾性部材、レッグギャザー２６形成用の弾性部材、及び胴回りギャザー２７形成用の弾性部材が、それぞれ伸張状態で挟持固定されている。
外装体２１を構成する外層シート２８及び内層シート２９は、それぞれ、吸収体１４と重なる部分の全域が液透過性である。また、裏面シート１３は、吸収体１４と重なる部分の全域が液透過性である。
【００１３】
補助具１における吸収体１４が配された領域Ｒ（厚み方向の内部に吸収体１４が存在する部分）は、上述したように、該吸収体１４よりも肌当接面側が液透過性の表面シート１３によって形成されており、また、該吸収体１４よりも非肌当接面側が、何れも液透過性である裏面シート３、内層シート２９及び外層シート２８によって形成されている。そのため、該領域Ｒは、その全域が、厚み方向に液が透過可能な液透過性の領域Ｒ１となっている。
吸収体１４は、股下部Ｃのみに配されていても良いし、股下部Ｃから腹側部Ａ及び／又は背側部Ｂに亘って配されていても良いが、本実施形態における吸収体１４は、股下部Ｃのみに配されている。
尚、液透過性の領域には、装着脱着を容易にすることを目的として指を入れるために設けた孔や、通気性のみを目的として孔やスリット等を設けた部分は含まれない。
【００１４】
補助具本体１１は、吸収体１４が股下部Ｃに位置するように、腹側部Ａから股下部Ｃを経て背側部Ｂに亘る方向に配されており、その裏面シート１３側の面が接着剤により内層シート２９に固定されている。
吸収体１４と裏面シート１３との間、裏面シート１３と内層シート２９との間、内層シート２９と外層シート２８との間は、それぞれ、液の透過を阻害しないパターンで塗工された接着剤により接着されている。液の透過を阻害しないな接着剤の塗工パターンとしては、ドットパターン、スパイラルパターン、ストライプパターン（線状接着部を間隔を開けて多数本形成するパターン）等が挙げられる。
【００１５】
尚、補助具１における吸収体１４が配された領域Ｒの、腹側部Ａから股下部Ｃを経て背側部Ｂに亘る方向の両側には、弾性部材１５を有する立体ギャザー形成用のシート材１６が固定されて立体ギャザー１７が形成されている。
【００１６】
補助具１における吸収体１４には、図１及び図２に示すように、液保持性の材料が配されていない通液部Ｔが部分的に形成されている。
詳細には、吸収体１４は、パルプ繊維及び／又は高吸水性ポリマーを主体として構成された吸収性コア４１と、該吸収性コア４１を被覆するシート材４２とからなり、全体として見れば液保持性を有している。しかし、吸収性コア４１には、貫通孔４３が複数個、分散した状態に形成されており、各貫通孔４３の両開口部を覆う前記シート材４２は液透過性で且つ液保持性を有しない材料から構成されている。本実施形態における通液部Ｔは、各貫通孔（空間）４３及び各貫通孔の両開口部を覆う前記シート材４２の一部からなる。
【００１７】
ここで、液保持性の材料とは、液の保持を目的として通常用いられるもの（例えば上述したパルプ繊維や高吸水性ポリマー等）の他、液の保持を目的としないものであるが、親水性のもの（例えば吸収性コア４１を被覆するのに汎用される台紙等）が挙げられる。これに対して、液保持性を有しない材料としては、撥水性で液を拡散も保持もしないもの等を挙げることができる。
前記液透過性の領域に、通液部Ｔが部分的に形成された吸収体１４を配することにより、該補助具１と組み合わせて用いられる外装吸収部３に対する液の移行性を損なうことなく、液の移行安定性を向上させることができる。液の移行安定性とは、液が導出される部位として予め設計された部位から液が導出されることをいう。
【００１８】
吸収性コア４１に貫通孔を設けて通液部Ｔを形成する場合、該貫通孔の開口面積、開口総面積、貫通孔を配置する位置等は、排泄量や排尿量を考慮の上、補助具１の吸収体１４と、外装吸収部３の吸収体３４とに排泄物を効率良く分配させるという観点、あるいは装着者の姿勢から、それぞれ下記範囲内であることが好ましい。
【００１９】
各貫通孔の開口面積；１×１０−４〜８×１０−１ｃｍ２、特に８×１０−３〜８×１０−１ｃｍ２であると、補助具１と外装吸収部３の両吸収体を特に効率良く使用することができる。
【００２０】
開口総面積；吸収体の全面積（貫通孔の開口部の面積を含む面積）に対して１０〜４０％、特に１５〜２５％であると、補助具１と、外装吸収部３の両吸収体を特に効率良く使用することができる。前記範囲の下限値未満であると外装吸収部３側の吸収体が、上限値超であると補助具側の吸収体が有効に利用されないまま、漏れを生じる恐れがある。
【００２１】
貫通孔を配置する位置；本実施形態の補助具１の装着者としては、歩行が可能であるが介助が必要な高齢者が特に想定されるため、排泄物も股下部から真下方向へ拡散させる必要がある。よって、補助具の前後方向中心点の前後合計で股下部全長の３０％の範囲内に開口総面積の５０〜１００％、好ましくは７０％〜１００％が存在することが好ましい。このように貫通孔を配置すると、補助具１に重ねる外装吸収部３への拡散が特にスムーズであり、補助具の幅方向両側からの漏れが一層確実に防止される。
【００２２】
貫通孔の平面視形状（開口部の形状）；円形、楕円形、四角形、菱形等、任意の形状とすることができるが、円形又は楕円形等が好ましい。
【００２３】
また、吸収性コア４１に貫通孔を設けて通液部Ｔを形成する場合、その貫通孔は、内部が空洞であっても良いが、該貫通孔内に、液透過性で且つ液保持性を有しない材料が充填されていると、該貫通孔が潰れて通液部Ｔとして充分に機能しなくなることを防止できる。液透過性で且つ液保持性を有しない材料としては、例えば、ポリエチレン、ポリプロピレン、ポリエステル又はこれらの組み合わせからなる繊維等の撥水性の繊維等が好ましい。
【００２４】
次に、本実施形態における外装吸収部３について、図３及び図４を参照して説明する。
外装吸収部３は、液透過性の表面シート３２、液不透過性の裏面シート３３及び両シート間に介在された液保持性の吸収体３４を具備し、該表面シート３２側に、外装吸収部３を補助具１の外表面側に止着するための止着手段３５，３５を有している。
外装吸収部３及び吸収体３４は、実質的に縦長の形状を有しており、補助具１の股下部Ｃの形状に適合するように、その長手方向の中央部が括れた形状をしている。表面シート３２及び裏面シート３３は、吸収体３４の周縁部において互いに接合されており、吸収体３４は、表面シート３２と裏面シート３３との間に挟持固定されている。
本実施形態における止着手段３５は、機械的面ファスナーのオス部材であり、長手方向の両端部にそれぞれ設けられており、補助具１の外表面を構成する不織布に直接係合可能である。
【００２５】
尚、外装吸収部固定用の止着手段としては、本実施形態におけるような機械的面ファスナーのオス部材に代えて、粘着剤の塗布や粘着テープの貼着等により形成した粘着部を設けても良い。また、止着手段としての機械的面ファスナーのオス部材は、補助具１の外表面に直接係合させるものに代えて、補助具１の外表面に設けた機械的面ファスナーのメス部材に係合させるものであっても良い。更に、機械的面ファスナーのオス部材を補助具に設け、外装吸収部３に設けた機械的面ファスナーのメス部材をこれに止着するようにしても良い。機械的面ファスナーのオス部材としては、例えば、クラレ社製の「マジックテープ（登録商標）」等を用いることができる。
【００２６】
本実施形態の吸収性物品は、図５に示すように、外装吸収部３を、止着手段３５を介して補助具１の外表面に着脱自在に止着して用いられる。外装吸収部３を止着する際には、外装吸収部３が補助具１の外表面の一部を覆うように且つその吸収体３４が補助具１の前記液透過性の領域Ｒ１の全体を覆うように止着する。
本実施形態の吸収性物品によれば、図６に示すように、補助具１内に排出された尿が、前記液透過性の領域Ｒ１を介して、外装吸収部３に良好に移行するため、外装吸収部３を、補助具１から取り外して交換することにより、補助具１を取り外すことなく、排尿の処理を行うことができる。そのため、排尿の処理に伴う労力的、精神的な負担を軽減することができる。
【００２７】
本実施形態における補助具１及び外装吸収部３の各部の形成材料について説明する。
補助具１における、表面シート１２、立体ギャザー形成用のシート材１６の形成材料としては、従来、使い捨ておむつや生理用ナプキン等の吸収性物品において、それぞれ表面シート、立体ギャザー形成用のシート材として用いられているものを特に制限なく用いることができる。尚、立体ギャザー形成用のシート材１６は、液不透過性の材料、例えば撥水性の不織布や樹脂フィルム等からなるものが好ましい。
【００２８】
裏面シート１３、外層シート２８、内層シート２９の形成材料としては、使い捨ておむつや生理用ナプキン等の吸収性物品に従来用いられている各種の材料のなかから、少なくとも一部が液透過性である材料を適宜選択して用いることができる。例えば、裏面シート１３の形成材料としては、開孔を設けた樹脂フィルム、開孔を設けた液不透過性の不織布、液透過性の不織布、編物、織物等を用いることができ、内層シート及び外層シートそれぞれの形成材料としては、開孔を設けた樹脂フィルム、開孔を設けた液不透過性の不織布、液透過性の不織布、編物、織物等を用いることができる。
【００２９】
本実施形態において、液透過性の領域Ｒ１を構成するシート材（上記各シート１２，１３，２８，２９）は、それぞれ、該領域Ｒ１を構成する部分の耐水圧が１．０ｇ／ｃｍ２未満であり、本実施形態における前記領域Ｒ１には、耐水圧が１．０ｇ／ｃｍ２以上のシート材は配されていない。上述した液不透過性の不織布とは、耐水圧が１．０ｇ／ｃｍ２以上の不織布をいい、このような不織布（シート材）であっても、開孔を設ける等の加工を施し耐水圧を１．０ｇ／ｃｍ２未満に下げることによって、前記領域Ｒ１の構成材料として用いることができる。
【００３０】
〔耐水圧の測定方法〕
耐水圧は、図１０に示すように、内径が約３．５ｃｍで、断面積が９．６ｃｍ２の２つの円筒管１０１，１０１’でゴムパッキン１０２，１０２’を介して不織布（シート材）１０を挟み、更に上方の円筒管１０１の上端にチューブ１０３を設けてなる装置１００を用いて測定する。そして、上記チューブ１０３により、１分間に４ｇの注入速度でイオン交換水を円筒管１０１内に入れてゆき、該イオン交換水が不織布（シート材）１０を通って下の円筒管１０１’に漏れるまでの時間を測定する。得られた時間のデータを下記測定式に代入して、耐水圧を求める。
耐水圧（ｇ／ｃｍ２）＝測定時間（秒）×（４ｇ／６０秒）／９．６ｃｍ２
【００３１】
ウエストギャザー２２、レッグギャザー２３、胴回りギャザー２７形成用の各弾性部材としては、それぞれ、パンツ型の使い捨ておむつ等に従来用いられているものと同様のものを用いることができる。
例えば、各弾性部材の形成素材としては、スチレン−ブタジエン、ブタジエン、イソプレン、ネオプレン等の合成ゴム、天然ゴム、ＥＶＡ、伸縮性ポリオレフィン、スパンデックス、発泡ポリウレタン等を挙げることができる。各弾性部材としては、各種形態のものを用いることができ、平ゴム、糸ゴム、薄膜状のもの等を用いることができる。
【００３２】
外装吸収部３における、表面シート３２，裏面シート３３及び吸収体３４の形成材料としては、従来、使い捨ておむつや生理用ナプキン等の吸収性物品において、それぞれ表面シート、液不透過性の裏面シート、吸収体として用いられているものを特に制限なく用いることができる。
【００３３】
次に、第２発明の一実施形態としての吸収補助具１’について図７を参照して説明する。吸収補助具１’は、表面シート１２と裏面シート１３間に液保持性の吸収体が配されていない点が、上述した補助具１と大きく相違する以外は、ほぼ同様の構成を有している。そのため、上述した補助具１と同様の構成については、下記説明又は図７中に同一の符号を付して説明を省略する。特に説明しない点については、上述した補助具１についての説明が適宜適用される。
【００３４】
吸収補助具１’は、補助具１と同様に、着用時に着用者の腹側に位置する腹側部Ａ、着用者の背側に位置する背側部Ｂ及び該腹側部と該背側部との間に位置する股下部Ｃを有しており、該腹側部及び該背側部それぞれの両側縁部同士、より具体的には、腹側部Ａに位置する外装体２１の両側縁部と、背側部Ｂに位置する外装体２１の両側縁部とが互いに接合されて、ウエスト開口部２２及び一対のレッグ開口部２３が形成されたパンツ型の形態を有している。
そして、液透過性の領域Ｒ１が、股下部Ｃの幅方向中央部に所定の幅で形成されている。液透過性の領域Ｒ１の幅は、立体ギャザー１７同士間の幅とほぼ同じである。
また、液透過性の領域Ｒ１には液保持性の吸収体が配されておらず、該液透過性の領域Ｒ１は、補助具の腹側部Ａから股下部Ｃを経て背側部Ｂに亘る方向（以下、長手方向ともいう）の両端（腹側部及び背側部におけるウエスト開口部縁端）に達しない長さに形成されている。
補助具１’の存在により、排泄物は補助具１’の股下部Ｃに集められ、該排出物が前記液透過性の領域Ｒ１から集中的に排出される。そのため、組み合わせる使い捨ておむつの吸収体の面積を小さくすることができる。第１発明の一実施形態として、上述した外装吸収部３と組み合わせて用いる場合も同様である。液透過性の領域Ｒ１からの集中的に排出は、着用者が立っている場合又は座っている場合に特に顕著である。
尚、立体ギャザー１７は、排尿された尿をその壁の内側で止め、そこで、一旦尿の拡散を抑制して立体ギャザーを越えて股の横からの漏れを防止し、液透過性領域Ｒ１から速やかに且つ安定的に尿を導出させることができるが、立体ギャザー１７は省略することもできる。
【００３５】
この吸収補助具１’における表面シート１２は、液透過性の不織布からなり、裏面シート１３は、多数の開孔を有する樹脂フィルムからなり、外層シート２８及び内層シート２９は、液透過性の領域Ｒ１を形成する部分のみが、多数の開孔が形成されて液透過性とされており、それ以外の部位が撥水性（液不透過性）である不織布から構成されている。尚、表面シート１２及び裏面シート１３は、それぞれ、あっても良いが、外層シート２８、内層シート２９に液透過性領域Ｒ１があれば、液透過性領域から速やかに且つ安定的に液を導出できる意味で、省略することもできる。
【００３６】
第２発明における吸収補助具は、液保持性の吸収体を具備する使い捨ておむつと組み合わせて用いられる。この場合、例えば、吸収補助具を履いた後に、使い捨ておむつを重ねて履くことによって、該おむつの吸収性能を向上させることができ、該使い捨ておむつを単独で使用した場合に比べて、漏れ防止性能を格段に向上させることができる。斯かる効果は、液透過性の領域から安定的に液を導出させること、及び勢いのある尿であっても、その速度が表面シート等によって減速された状態で使い捨ておむつに移行されること等によって奏される。
吸収補助具と組み合わせて用いる使い捨ておむつとしては、各種公知の使い捨ておむつを用いることができ、ファスニングテープを有する、いわゆる展開型の使い捨ておむつであっても良いし、予めパンツ型の形態に形成された、いわゆるパンツ型の使い捨ておむつであっても良い。
【００３７】
以上、本発明（第１及び第２発明）の好ましい実施形態について説明したが、本発明は上述した実施形態に制限されることなく、本発明の趣旨を逸脱しない範囲において種々変更可能である。
例えば、第１発明における補助具は、液透過性の領域Ｒ１に、液保持性の吸収体が配されていないものであっても良く、例えば、上述した吸収補助具１’と同一の構成を有するものであっても良い。
【００３８】
また、第１発明における補助具は、図８に示す構成のものであっても良い。
図８は、本発明の他の実施形態における補助具１Ａを示す図であり、この補助具１Ａにおける吸収体１４は、その上面及び下面が、それぞれ液透過性である表面シート１２及び裏面シート１３で被覆されており、該吸収体１４の長手方向の両側面部が、撥水性の材料からなる立体ギャザー形成用のシート材１６により被覆されている。前記シート材１６は、表面シート１２及び裏面シート１３に跨るように配され、吸収体１４の上面側において表面シート１１に固定され、該吸収体１４の下面側において裏面シート１３に固定されている。
この補助具１Ａにおいては、吸収体１４が配された領域Ｒにおける、幅方向中央の所定幅の領域で且つ長手方向（腹側部Ａから股下部Ｃを経て背側部Ｂに亘る方向）の股下部Ｃの全長に亘る領域が、表面シート１２側から外層シート２８側まで液を通すことのできる液透過性の領域Ｒ１となっている。
この補助具１Ａにおける吸収体１４においては、複数の貫通孔４３を有する吸収性コア４１の上下面を被覆するシート材４２が、液保持性を有する材料（台紙等）からなり、該シート材４２の各貫通孔４３の上下の両開口部と重なる部分に開孔４２ａが形成されている。詳細には、吸収性コア４１の上下面をシート材４２で被覆したものにニードリング加工等の開孔処理を施し、貫通孔４３及び開孔４２ａを同時に形成してある。これによって、液保持性の材料が配されていない通液部Ｔが部分的に形成されている。
【００３９】
補助具１Ａは、パンツ型の形態を有し、吸収体１４が配された領域Ｒの一部Ｒ１が液透過性とされているため、上述した外装吸収部３又は同様の構成を有する外装吸収部と組み合わせて用いることによって、上述した吸収性物品、即ち、補助具１と外装吸収部３とからなる吸収性物品と同様の作用効果が奏される。ここで、前記液透過性の領域Ｒ１の幅（図８の左右方向の幅）は、前記領域Ｒの幅に対して５０〜９５％、特に６０〜８０％であると、外表面側に止着した外装吸収部への液の移行を、幅方向中心部へ集中させることができるため、該外装吸収部の幅方向両側部からの漏れが防止されることが期待できる。尚、Ｒ１の幅及びＲの幅は、補助具の吸収体の前後方向の中心位置での値とする。この補助具１Ａの特に説明しない点は、上述した補助具１と同様である。
【００４０】
尚、吸収体１４に通液部Ｔを形成する他の方法としては、吸収性コア４１の上下面を網状のシート材や開孔を有する樹脂フィルムで被覆し、該シート材４２の各貫通孔４３の上下の両開口部と重なる部分に網目や開孔が位置するようにすることもできる。網目又は開孔の開口面積は、例えば補助具１について説明した貫通孔の好ましい開口部の面積と同様とすることができる。吸収性コア４１の上下の両面は、二枚のシート材で各々被覆されていたり、貫通孔４３の上下の両開口部が、異なる方法により通液性とされたシート材により被覆されていても良い。
【００４１】
また、図９（ａ）に示す補助具１Ｂは、股下部における液透過性の領域Ｒ１に吸収体が配されており、該吸収体に、液保持性の材料が配されていない通液部Ｔが部分的に形成されている補助具の他の例であり、該補助具１Ｂにおいては、吸収体１４の長手方向及び幅方向の中央部に縦長の通液部Ｔが形成されている。
また、図９（ｂ）に示す補助具１Ｃは、股下部における液透過性の領域Ｒ１の一部（該領域Ｒ１の長手方向の両端部）のみに液保持性の吸収体１４が配されている補助具の他の例である。尚、この吸収体１４には、液保持性の材料が配されていない通液部Ｔが形成されていない。
【００４２】
また、補助具１においては、吸収体１４が配された領域Ｒの全域が液透過性とされており、補助具１Ａにおいては、該領域Ｒの補助具幅方向（腹側部Ａから股下部Ｃを経て背側部Ｂに亘る方向に直交する方向）中央の所定幅部分が液透過性とされていたが、それぞれ、前記各領域Ｒの他の部位が液透過性とされていても良い。例えば、前記領域Ｒの補助具幅方向の両端部分や補助具長手方向の両端部分が液透過性とされていても良いし、該領域Ｒにおける補助具幅方向の左右の何れか片側のみ、或いは該領域Ｒの補助具長手方向の前後何れか一方のみが液透過性とされていても良く、更には、該領域Ｒにおける、補助具幅方向及び／又は長手方向に相互に離間した複数箇所が液透過性とされていても良い。但し、該領域Ｒの長手方向及び幅方向の中央部分が少なくとも液透過性の領域とされていることが好ましい。
また、吸収補助具１Ａにおいては、立体ギャザー１７，１７間に挟まれた領域のほぼ全域が液透過性の領域とされていたが、立体ギャザー１７，１７間に挟まれた領域の一部、例えば該領域の幅方向（腹側部Ａから股下部Ｃを経て背側部Ｂに亘る方向に直交する方向）中央の所定幅部分や、該幅方向及び／又は該幅方向に直交する長手方向に相互に離間した複数箇所が液透過性とされていても良い。
【００４３】
また、上述した補助具１，１Ａ〜１Ｃ及び吸収補助具１’は、それぞれ、外装体２１と補助具本体１１とからなるものであったが、補助具本体１１を形成する表面シート１２及び裏面シート１３がパンツ型の形態を形成しており、外装体２１を有しないものであっても良い。
【００４４】
また、外装体２１は、シート材からなるものに代えて、ネット状物、特に伸縮性を有するネット状物からなるものであっても良い。伸縮性を有するネット状物としては、合成ゴムや天然ゴム、スパンデックス等の弾性組成物を網状に成形したもの、弾性を有しないものを、ゴム編み等によって弾性伸縮性を有するようにしたもの等を用いることができる。
【００４５】
尚、外装吸収部の形状、寸法、補助具に対する止着部位等は、補助具の液透過性の領域から導出された液体を吸収できる限り制限されない。
また、一の実施形態における説明省略部分及び一の実施形態のみが有する要件は、それぞれ他の実施形態に適宜適用することができ、また、各実施形態における要件は、実施形態間で相互に置換可能である。
【００４６】
【発明の効果】
本発明の吸収性物品によれば、排尿の処理に伴う労力的、精神的、経済的な負担を軽減することができる。
本発明の吸収補助具によれば、使い捨ておむつの内側に併用することによって、その使い捨ておむつの吸収性能を向上させ、優れた漏れ防止性能を得ることができる。
【図面の簡単な説明】
【図１】図１は、本発明（第１発明）の一実施形態に係る補助具を示す斜視図である。
【図２】図２は、図１のＸ−Ｘ線断面を模式的に示す断面図である。
【図３】図３は、本発明の一実施形態に係る外装吸収部を示す斜視図である。
【図４】図４は、図３のＹ−Ｙ線断面を一部省略して示す模式断面図である。
【図５】図５は、本発明の一実施形態に係る吸収性物品の使用方法を説明するための説明図である。
【図６】図６は、本発明の一実施形態に係る吸収性物品の使用状態を示す模式断面図である。
【図７】図７は、本発明（第２発明）の一実施形態としての吸収補助具を示す断面図（図２相当図）である。
【図８】図８は、本発明（第１発明）の他の実施形態に係る補助具を示す断面図（図２相当図）である。
【図９】図９（ａ）及び（ｂ）は、それぞれ、本発明の更に他の実施形態に係る補助具を示す斜視図である。
【図１０】図１０は、耐水圧の測定方法を示す概略図である。
【符号の説明】
１，１Ａ〜１Ｃ    補助具
１’  吸収補助具
１１    補助具本体
１２      表面シート
１３      裏面シート
１４      吸収体
２１    外装体
２８      外層シート
２９      内層シート
３    外装吸収部
３５    止着手段
Ａ    腹側部
Ｂ    背側部
Ｃ    股下部
Ｒ    股下部における吸収体が配された領域
Ｒ１  液透過性の領域
【図１】
2004180950.tif 000003
【図２】
2004180950.tif 000004
【図３】
2004180950.tif 000005
【図４】
2004180950.tif 000006
【図５】
2004180950.tif 000007
【図６】
2004180950.tif 000008
【図７】
2004180950.tif 000009
【図８】
2004180950.tif 000010
【図９】
2004180950.tif 000011
【図１０】
2004180950.tif 000012